(57)【特許請求の範囲】
【請求項１】
床パンの床板部の外端縁に形成される立ち上がり部から外側方に壁パネル載置用のパネル載置片が連設されると共に該パネル載置片の外端部から上方に突片を立設し、前記床パンの立ち上がり部の一部から床板部の端部よりやや引き込んだ位置まで除去されたドア枠配設用の切欠部を設け、この切欠部にドア受け部材を配置して床パンに固定することでドア枠を取付け、固定窓の窓枠の下端部に下方に開口しその下端部が上端部よりも幅広となる被嵌部を形成すると共に、前記被嵌部に下方へ行く程幅広となる傾斜部を形成し、前記被嵌部を上記ドア枠に隣接する床パンの突片に被嵌し、前記窓枠の下端部の被嵌部の内部側にて下方に突出する内突出部の下端を床パンのパネル載置片上に載置して成ることを特徴とする床パンへの固定窓の取付け構造。
【請求項２】
固定窓の窓枠を上枠及び下枠と左右の縦枠とで形成し、縦枠の下端部に傾斜部を形成して成ることを特徴とする請求項１記載の床パンへの固定窓の取付け構造。
【発明の詳細な説明】
【技術分野】
【０００１】
本発明は、床パンへの固定窓の取付け構造に関するものである。
【背景技術】
【０００２】
近年、高齢者や障害者等の身体の不自由な人に優しいバリアフリー化が進んでおり、浴室ユニットにおいてもバリアフリー化が推進されている。浴室ユニットは、床パンの周端縁に立ち上がり部を設け、立ち上がり部の上端部に設けた壁パネル載置部に壁パネルを載設すると共に壁パネルの上端部に天井部を載設して外殻が構成されている。また出入口を設けるため、以前は壁パネルの一つの代わりにドア枠を設けてこのドア枠にドアを設けていたが、バリアフリー化のため、床パンの周端縁の立ち上がり部の一部を切欠して切欠部を形成し、床パンの切欠部を形成した部分から略水平に延設されるドア受け部材にドア枠の下枠を載置し、ドア枠の下枠の上面と床パンの床面とを略面一になるようにしていた（例えば特許文献１参照）。
【０００３】
また、このような浴室ユニットに固定窓を取付ける場合、ドア枠を取付けるのと同様にして、床パンの周端縁の立ち上がり部に形成した切欠部にドア受け部材と同様の固定窓受け部材を設けてこの固定窓受け部材に固定窓を載置固定していた。
【０００４】
このため、従来の浴室ユニット床パンへの固定窓の取付け構造にあっては、床パンの立ち上がり部に切欠部を形成して該切欠部に固定窓受け部材を設ける必要があり、固定窓の取付けが面倒なものであった。
【特許文献１】特開２００５−１４６７９４号公報
【発明の開示】
【発明が解決しようとする課題】
【０００５】
本発明は上記の点に鑑みてなされたものであり、その目的とするところは、床パンの立ち上がり部に切欠部を形成して該切欠部に固定窓受け部材を設ける必要がなく、簡単に固定窓を取付けることが可能な浴室ユニットの床パンへの固定窓の取付け構造を提供することを課題とするものである。
【課題を解決するための手段】
【０００６】
上記課題を解決するために請求項１に係る発明にあっては、床パン１の床板部１１の外端縁に形成される立ち上がり部２から外側方に壁パネル載置用のパネル載置片２１が連設されると共に該パネル載置片２１の外端部から上方に突片２２を立設し、前記床パン１の立ち上がり部２の一部から床板部１１の端部よりやや引き込んだ位置まで除去されたドア枠配設用の切欠部３を設け、この切欠部３にドア受け部材４を配置して床パン１に固定することでドア枠を取付け、固定窓５の窓枠５０の下端部に下方に開口しその下端部が上端部よりも幅広となる被嵌部６３を形成すると共に、前記被嵌部６３に下方へ行く程幅広となる傾斜部７４ａを形成し、前記被嵌部６３を上記ドア枠に隣接する床パン１の突片２２に被嵌し、前記窓枠５０の下端部の被嵌部６３の内部側にて下方に突出する内突出部６１の下端を床パン１のパネル載置片２１上に載置して成ることを特徴とするものである。
【０００７】
このような構成とすることで、窓枠５０の被嵌部６３を床パン１の突片２２に被嵌して内突出部６１の下端を床パン１のパネル載置片２１上に載置することで固定窓５を取付けるため、床パン１の立ち上がり部２に切欠部３を形成して該切欠部３に固定窓５受け部材を設けたりする必要がなく、簡単に固定窓５を取付けることが可能となるものである。また、下枠６の被嵌部６３を床パン１の突片２２に被嵌する際に、被嵌部６３の下方への開口の下端部が上端部よりも幅広であるため被嵌し易く、更にこの時、傾斜部７４ａが、突片２２が被嵌部６３に挿入される際のガイドとなるものである。
【００１２】
また、請求項２に係る発明にあっては、請求項１に係る発明において、固定窓５の窓枠５０を上枠及び下枠６と左右の縦枠７とで形成し、縦枠７の下端部に傾斜部７４ａを形成して成ることを特徴とするものである。
【００１３】
このような構成とすることで、一般に下枠６のように押出し成形で形成して同一断面となるものでは長手方向の全長に亘って傾斜部７４ａを形成することとなるが、縦枠７の下端部に傾斜部７４ａを形成する場合には縦枠７の長手方向の端部の加工の際に傾斜部７４ａを形成できて加工が容易となる。
【発明の効果】
【００１４】
本発明にあっては、床パンの立ち上がり部に切欠部を形成して該切欠部に固定窓受け部材を設けたりする必要がなく、簡単に固定窓を取付けることができて、ドア枠を床パンに形成した切欠部に設けてバリアフリーとした浴室ユニットにおいて固定窓の取付けを容易に行うことが可能となる。
【発明を実施するための最良の形態】
【００１５】
以下、本発明を添付図面に示す実施形態に基いて説明する。
【００１６】
浴室ユニットは、床パン、壁パネル、天井部、ドア枠及びドアにて主体が構成される。床パン１は、図３に示すように、床板部１１の周端縁に立ち上がり部２が上方に向けて一体に突設してある。立ち上がり部２の上端部からは、外側方にパネル載置片２１が連設されると共に該パネル載置片２１の外端部に上方に向けて突片２２が立設される。パネル載置片２１の下面側で突片２２の下方に突出する垂下片の内側には後述するドア受け部材４の端部ブロック４３が嵌め込まれる嵌め込み凹所２３が形成される。また、床パン１の床板部１１の下面には平面視で外端縁よりもやや内側に引き込んだ位置に外端縁に沿って垂下リブ１２が一体に形成してある。
【００１７】
上記のような構成の床パン１の周端縁の立ち上がり部２のパネル載置片２１に浴室ユニットの壁となる壁パネルを載設され、更に、この床パン１の周端縁の一部にドア枠が配設され、また本実施形態ではドア枠に隣接して固定窓５が配設される。床パン１のドア枠が配設される部分には切欠部３が形成される。切欠部３は、床パン１の周端縁の一部を立ち上がり部２から床板部１１の端部よりやや引き込んだ位置まで除去することで形成される。図３（ａ）（ｂ）（ｃ）（ｄ）には切欠部３の形成位置を示す例が示してある。もちろん、上記の各例以外の位置に切欠部３が形成される場合がある。
【００１８】
以下に図３（ａ）に示す位置に切欠部３を形成する例で説明する。この例は床パン１の一辺の片側に片寄った位置にドア枠を配設する例であり、切欠部３の一端部が床パン１一辺に位置し、切欠部３の他端部が床パン１のコーナ部分に位置している。
【００１９】
図４には図３（ａ）のＡ部における切欠部３の端部を示し、この部分においては垂下リブ１２までの長さの略半分位を切り込んで形成するものであり、これにより床板部１１の周端縁と立ち上がり部２の下端部とのなす弧状をしたコーナ部を越えて切欠部３を形成してある。また、図５には図３（ａ）のＢ部における切欠部３の端部が示してある。そして、この切欠部３にドア受け部材４を配置して床パン１に固定されるものである。
【００２０】
ドア受け部材４は、横向きの受け片４ａの巾方向の一端部に下方に向けて固定垂下片４ｂを垂設し、固定垂下片４ｂの上端部から上方に上縦片４ｃを突設し、更に上縦片４ｃの上端から受け片４ａに対向する上横片４ｄを突設し、また、受け片４ａの巾方向の他端部に上方に向けて立ち上がり片４ｅを突設してあり、立ち上がり片４ｅと上横片４ｄの端部との間が嵌め込み用凹部４１となっている。ここで、上横片４ｄの先端は自由端としたものであってもよく、あるいは、上横片４ｄの先端と受け片４ａとを一体に連続させてもよい。
【００２１】
ドア受け部材４の長手方向の両端部には端部ブロック４３が任意の取付け手段で取付けてある。この端部ブロック４３には図３（ａ）のＡ部側に位置する端部ブロック４３ａと、図３（ａ）のＢ部側に位置する端部ブロック４３ｂとがあり、いずれも嵌め込み用凹部４１の長手方向の端部を遮蔽するためのブロック本体部４４を有している。更に、端部ブロック４３には切欠部３の端部の立ち上がり部２の下面に沿わせて立ち上がり部２の嵌め込み凹所２３に嵌め込むための嵌め込み部４４ａを設けてある。ここで、図３（ａ）のＢ部側に位置する端部ブロック４３ａのブロック本体部４４の上端面部にはパネル載置片２１と水切り片とよりなるＬ状部と同形状のＬ状突片部４５が突設してあり、Ｌ状突片部４５の嵌め込み部と反対側の端部にはＬ状突片部に連続する端片部４６が突設してある。
【００２２】
上記の構成の長手方向の両端部に端部ブロック４３を有するドア受け部材４を切欠部３に配置し、両端部の端部ブロック４３を切欠部３の両側の立ち上がり部２の裏面に沿わせて嵌め込み部４４ａを立ち上がり部２の背面側の嵌め込み凹所２３にはめ込んだ状態で、ドア受け部材４の固定垂下片４ｂを床板部１１の裏面側に突設した垂下リブ１２に固着手段であるねじ具４９により固着すると共に、嵌め込み凹所２３の側壁部と端部ブロック４３の嵌め込み部４４ａとをねじ具４９により固着するものである（図４、図５参照）。この際、垂下リブ１２と立ち上がり片４ｅとの間、床板部１１の下面と上横片４ｄとの間にそれぞれ防水パッキンを介在させてこの部分からの水漏れを防止している。
【００２３】
ドア枠は、図示しないが、左右両縦枠の上端部間及び下端部間に上枠（図示せず）及び下枠を架設して構成してある。下枠の下面部には下方突出部が設けてある。また、下枠の浴室側の端部を縦枠の浴室側の端部よりも浴室側に突出させて浴室側突出部としてある。この浴室側突出部は横向きの角筒状に形成してあり、この横向き角筒状の浴室側突出部は上記下方突出部の一部を構成している。浴室側突出部の横方向の端部にドア枠隅ブロックの下部側面に突設した嵌め込み部を嵌め込んでドア枠隅ブロックを縦枠の下端部の浴室側の面の前方に配置してある。横向き角筒状をした浴室側突出部の上面部は凹溝となっており、凹溝の巾方向の上面部両側には係止片が設けてある。凹溝の溝底部には孔が設けてある。ドア枠隅ブロックの上面部には凹となった嵌合部が設けてある。
【００２４】
ドア枠は下枠を床パン１の切欠部３に配置して下枠の下方突出部をドア受け部材４の嵌め込み用凹部４１に嵌め込んで載置し、この状態で凹溝の溝底部に設けた孔からねじ具を挿入してねじ具を横向き角筒状の浴室側突出部の底面部からドア受け部材４に螺入させて固着してある。孔には弾性を有するゴムのようなキャップを着脱自在に取付けて水が浸入しないようにしている。そして、ドア枠にはドアが開閉自在に取付けられるものである。
【００２５】
次に、固定窓５について説明する。固定窓５は、従来にあってはドア枠を取付けるのと同様に床パン１の周端縁に形成した切欠部３に固定窓５受け部材を設けてこの固定窓５受け部材に固定窓５を載置固定していたが、本実施形態では床パン１の周端縁の立ち上がり部２に形成されたパネル載置片２１に載設される。
【００２６】
固定窓５の窓枠５０は、左右の縦枠７と、前記両縦枠７の上端部間及び下端部間に上枠（図示せず）及び下枠６を架設して構成されるもので、各枠はアルミニウムの押出成形によって長手方向に押出して構成される。そして、窓枠５０にて囲まれる部分にガラス窓等の窓が嵌め込まれる。
【００２７】
下枠６は、長手方向と直交する断面において、浴室ユニットの内部側に下方に突出する略コ字状をした内突出部６１を有すると共に浴室ユニットの外部側に下方に突出する略コ字状をした外突出部６２を有していて、この内突出部６１と外突出部６２との間に下方に開口する略コ字状をした凹部からなる被嵌部６３を有するものである。
【００２８】
縦枠７は、浴室ユニットの内部側に面する内縦片７１と、内縦片７１から浴室ユニットの外部側に連設されて浴室ユニットの側方に面する側縦片７２とで主体が構成される。側縦片７２の下端部には、浴室ユニットの内部側に下方に突出して上記下枠６の内突出部６１と略重なる内突出片部７３が形成してあると共に、該内突出片部７３の外部側に下方に突出して上記下枠６の外突出部６２と略重なるように外突出片部７４が形成してあり、この内突出片部７３と外突出片部７４との間に下方に開口する略コ字状をした切欠部３が形成してある。また、外突出片部７４の外側には、浴室ユニットに隣接する脱衣室の床面８上に載置される載置片部７６が設けてある。
【００２９】
窓枠５０は、図１に示すように、下枠６の被嵌部６３を上方から床パン１の突片２２に被嵌して内突出部６１の下端を床パン１のパネル載置片２１上に載置することで載置し、縦枠７の載置片部７６を脱衣室の床面８上に載置して固定する。このようにすることで、床パン１の立ち上がり部２に切欠部３を形成して該切欠部３に固定窓５受け部材を設けたりする必要がなく、簡単に固定窓５を取付けることが可能となるものである。
【００３０】
また本実施形態においては、被嵌部６３の下端部の開口を上端部よりも幅広に形成してあり、これによって下枠６の被嵌部６３を床パン１の突片２２に被嵌する際に被嵌し易くなるものである。またこの時、被嵌部６３に下方へ行く程幅広となる傾斜部７４ａを形成してある。これは、縦枠７の側縦片７２の外突出片部７４の内側（浴室ユニット内側）の辺を上方へ行く程内側に傾斜する傾斜部７４ａとするものである。また下枠６には、凹部６３の上面の内外方向の途中にリブ６４が下方に突設してあり、このリブ６４の内方側と内突出片部７３との間に床パン１の突片２２が挿入されるが、前記傾斜部７４ａがリブ６４の内方側と内突出片部７３との間に内突出片部７３を誘導するガイドとなって、床パン１の突片２２がリブ６４の外方側と外突出片部７４との間に挿入されるのを防止している。
【００３１】
またこれにあたって、縦枠７の下端部に傾斜部７４ａを形成したことで、窓枠５０の下端部の長手方向の一部にのみ傾斜部７４ａを形成できて、傾斜部７４ａの形成が容易となる。すなわち、下枠６のように押出し成形で形成して同一断面となるものでは長手方向の全長に亘って傾斜部７４ａを形成することとなるが、縦枠７の下端部に傾斜部７４ａを形成する場合には縦枠７の長手方向の端部の加工の際に傾斜部７４ａを形成できて加工が容易となる。
【図面の簡単な説明】
【００３２】
【図１】（ａ）（ｂ）（ｃ）は本発明の固定窓の床パンへの取付けを順に説明する断面図である。
【図２】（ａ）は同上の固定窓の斜め上方から見た斜視図であり、（ｂ）は同上の固定窓の斜め下方から見た斜視図である。
【図３】（ａ）は同上の床パンに形成する切欠部の位置を示す一例の平面図であり、（ｂ）乃至（ｄ）は切欠部の位置を示す他の例を示す平面図である。
【図４】同上の切欠部のＡ部にドア受け部材を取付けた状態における斜視図である。
【図５】同上の切欠部のＢ部にドア受け部材を取付けた状態における斜視図である。
【符号の説明】
【００３３】
１    床パン
１１  床板部
２    立ち上がり部
２１  パネル載置片
２２  突片
３    切欠部
４    ドア受け部材
５    固定窓
５０  窓枠
６３  被嵌部
【図１】
0004739974.tif 000002
【図２】
0004739974.tif 000003
【図３】
0004739974.tif 000004
【図４】
0004739974.tif 000005
【図５】
0004739974.tif 000006